(57)【要約】  本開示は、一般に電気自動車に関し、より具体的には、電気自動車（ＥＶ）充電ネットワークにおけるエネルギー消費量を監視するための方法、装置、およびコンピュータプログラム製品に関する。この方法、装置、およびコンピュータプログラム製品は、対象となるＥＶ充電ステーションのそれぞれにおける時間内のより正確なエネルギー消費量分布を取得することを可能にする。エネルギー消費量分布は、その後、対象となるＥＶ充電ステーションで電気自動車がある時間に消費した総平均エネルギーを計算するために使用することができる。【選択図】図３
2021530755.tif 000002
【特許請求の範囲】
【請求項１】
電気自動車（ＥＶ）充電ネットワーク（１００）におけるエネルギー消費量を監視する方法（３００）であって、前記ＥＶ充電ネットワーク（１００）は、それぞれにエネルギーメータを備えた複数のＥＶ充電ステーション（１０２、１０４、１０６、１０８）を含んで構成されており、
前記方法（３００）は、
ａ）少なくとも１つの前記ＥＶ充電ステーション（１０２、１０４、１０６、１０８）からのタイムスタンプ、ステーション識別子（ＩＤ）、各充電セッションに固有の充電セッションＩＤ、およびエネルギーメータの読み取り値を含む新しいメッセージを受信するステップ（Ｓ３０２）と、
ｂ）前記ＥＶ充電ステーション（１０２、１０４、１０６、１０８）からの古いメッセージを含むデータベース（２０８）に前記新しいメッセージを格納するステップ（Ｓ３０４）と、
ｃ）前記データベース（２０８）に、前記新しいメッセージと同じステーションＩＤと充電セッションＩＤを含む古いメッセージが含まれているかどうかをチェックするステップ（Ｓ３０６）と、
ｄ）前記古いメッセージが前記データベース（２０８）に存在する場合は、前記新しいメッセージと前記古いメッセージの間の時間差とエネルギー差を計算するステップ（Ｓ３０８）と、
ｅ）前記計算された時間差に基づいて時間粒度レベルを選択するステップ（Ｓ３１０）と、
ｆ）前記時間粒度レベルと前記エネルギー差に基づいて、新しいメッセージと古いメッセージのタイムスタンプの間のエネルギー消費量分布を取得するステップ（Ｓ３１２）、および
ｇ）ステーションのオペレーターに前記エネルギー消費量分布を提供するステップを含んで構成されることを特徴とする。
【請求項２】
前記ステーションＩＤは、前記ＥＶ充電ステーションの名前、製造者情報、および／または地理的位置を含んで構成されることを特徴とする請求項１に記載の方法（３００）。
【請求項３】
前記充電セッションＩＤは、１つ以上の文字および／またはデジタル文字で表されることを特徴とする請求項１または請求項２のいずれか１項に記載の方法（３００）。
【請求項４】
前記タイムスタンプは、ＩＳＯ８６０１規格に従って表示されることを特徴とする請求項１〜３のいずれか１項に記載の方法（３００）。
【請求項５】
さらに、前記エネルギー消費量分布を前記データベース（２０８）に格納するステップを含むことを特徴とする請求項１〜４のいずれか１項に記載の方法（３００）。
【請求項６】
前記エネルギー消費量分布を取得するステップ（Ｓ３１２）は、
前記新しいメッセージと前記古いメッセージとの間の時間差を、前記時間粒度レベルに従っていくつかの等しい時間間隔に分割するステップと、
前記エネルギー差を等しい時間間隔の数で割ることにより、各時間間隔の平均エネルギー消費量を計算するステップと、を含むことを特徴とする請求項１〜５のいずれか１項に記載の方法（３００）。
【請求項７】
前記エネルギーメータの読み取り値および前記平均エネルギー消費量は、ワット時またはワット時の倍数で与えられることを特徴とする請求項６に記載の方法（３００）。
【請求項８】
さらに、ワット時またはワット時の倍数で表される前記平均エネルギー消費量をワットに変換することにより、各時間間隔の平均消費電力を計算するステップと、
前記時間粒度レベルおよび前記平均消費電力に基づいて、前記新しいメッセージのタイムスタンプと前記古いメッセージのタイムスタンプの間の消費電力分布を取得するステップと、
前記消費電力分布を前記データベース（２０８）に格納するステップと、を含むことを特徴とする請求項７に記載の方法（３００）。
【請求項９】
前記ステップａ）〜ｇ）は、他のＥＶ充電ステーション（１０２、１０４、１０６、１０８）から受信した前記新しいメッセージに対して繰り返され、
さらに、前記ＥＶ充電ステーション（１０２、１０４、１０６、１０８）について得られたエネルギー消費量の分布を比較することによって、所定の時間における前記ＥＶ充電ネットワーク（１００）内の総エネルギー消費量を計算するステップを含むことを特徴とする請求項１〜８のいずれか１項に記載の方法（３００）。
【請求項１０】
電気自動車（ＥＶ）充電ネットワーク（１００）のエネルギー消費量を監視するための装置（２００）であって、ＥＶ充電ネットワーク（１００）は、それぞれにエネルギーメータを備えた複数のＥＶ充電ステーション（１０２、１０４、１０６、１０８）を含んで構成されており、装置（２００）は、
少なくとも１つのプロセッサ（２０４）と、
少なくとも１つのプロセッサ（２０４）に結合されたメモリ（２０２）を含んで構成され、
前記メモリ（２０２）は、ＥＶ充電ステーション（１０２、１０４、１０６、１０８）からの古いメッセージを含むデータベース（２０８）を格納し、
それぞれの前記古いメッセージは、タイムスタンプ、ステーション識別子（ＩＤ）、各充電セッションに固有の充電セッションＩＤ、エネルギーメータの読み取り値を含んで構成され、
前記メモリはさらに、前記少なくとも１つのプロセッサ（２０４）によって実行されるに際して、前記少なくとも１つのプロセッサに以下のａ）〜ｇ）を実行させるプロセッサ実行可能命令（２０６）を格納する。
ａ）前記少なくとも１つのＥＶ充電ステーションから新しいメッセージを受信する（Ｓ３０２）。
ｂ）前記新しいメッセージ前記をデータベース（２０８）に格納する（Ｓ３０４）。
ｃ）前記データベース（２０８）に、新しいメッセージと同じステーションＩＤおよび充電セッションＩＤを含む古いメッセージが存在するかどうかをチェックする（Ｓ３０６）。
ｄ）前記古いメッセージが前記データベース（２０８）に存在する場合、前記新しいメッセージと前記古いメッセージとの間の時間差およびエネルギー差を計算する（Ｓ３０８）。
ｅ）前記計算された時間差に基づいて時間粒度レベルを選択する（Ｓ３１０）。
ｆ）前記時間粒度レベルと前記エネルギー差に基づいて、前記新しいメッセージと前記古いメッセージのタイムスタンプ間のエネルギー消費分布を取得する（Ｓ３１２）。
ｇ）ステーションのオペレーターに前記エネルギー消費量分布を提供する。
【請求項１１】
前記ステーションＩＤは、前記ＥＶ充電ステーションの名前、製造者情報および／または地理的位置を含んで構成される請求項１０に記載の装置（２００）。
【請求項１２】
前記充電セッションＩＤは、１つ以上の文字および／またはデジタル文字で表されることを特徴とする請求項１０または請求項１１のいずれか１項に記載の装置（２００）。
【請求項１３】
前記タイムスタンプは、ＩＳＯ８６０１規格に従って表示されることを特徴とする請求項１０〜１２のいずれか１項に記載の装置（２００）。
【請求項１４】
前記メモリ（２０２）はさらに、コンピュータ実行可能命令（２０６）を含み、少なくとも１つの前記プロセッサに、エネルギー消費量分布をメモリ（２０２）またはデータベース（２０８）に格納させることを特徴とする請求項１０〜１３のいずれか１項に記載の装置（２００）。
【請求項１５】
前記少なくとも１つのプロセッサ（２０４）が、
前記新しいメッセージと前記古いメッセージとの間の時間差を、前記時間粒度レベルに従っていくつかの等しい時間間隔に分割し、
前記エネルギー差を等しい時間間隔の数で割ることにより、各時間間隔の平均エネルギー消費量を計算することで、
エネルギー消費量の分布を取得するように構成されることを特徴とする請求項１０〜１４のいずれか１項に記載の装置（２００）。
【請求項１６】
前記エネルギーメータの読み取り値および前記平均エネルギー消費量は、ワット時またはワット時の倍数で与えられることを特徴とする請求項１５に記載の装置（２００）。
【請求項１７】
前記メモリ（２０２）はさらに、コンピュータ実行可能命令（２０６）を含み、少なくとも１つの前記プロセッサに、
ワット時またはワット時の倍数で表される前記平均エネルギー消費量をワットに変換することにより、各時間間隔の平均消費電力を計算させ、
前記時間粒度レベルおよび前記平均消費電力に基づいて、前記新しいメッセージのタイムスタンプと前記古いメッセージのタイムスタンプの間の消費電力分布を取得させ、
前記消費電力分布を前記メモリまたは前記データベース（２０８）に格納させることを特徴とする請求項１６に記載の装置（２００）。
【請求項１８】
前記少なくとも１つのプロセッサ（２０４）が、他のＥＶ充電ステーション（１０２、１０４、１０６、１０８）から受信した新しいメッセージに対して操作ａ）〜ｇ）を繰り返すように構成され、
前記メモリ（２０２）はさらにコンピュータ実行可能命令（２０６）を含み、少なくとも１つのプロセッサ（２０４）に、すべての前記ＥＶ充電ステーション（１０２、１０４、１０６、１０８）について得られたエネルギー消費量の分布を比較することによって、所定の時間における前記ＥＶ充電ネットワーク（１００）内の総エネルギー消費量を計算させることを特徴とする請求項１０〜１７のいずれか１項に記載の装置（２００）。
【請求項１９】
コンピュータ読み取り可能な記憶媒体を含んで構成されるコンピュータプログラム製品であって、
前記記憶媒体は、前記少なくとも１つのプロセッサ（２０４）によって実行されると、前記少なくとも１つのプロセッサ（２０４）に請求項１から９のいずれか１項に記載の方法（３００）を実行させるコンピュータ実行可能命令を格納している、コンピュータプログラム製品。
【発明の詳細な説明】
【技術分野】
【０００１】
本開示は、一般に電気自動車に関し、より具体的には、電気自動車（ＥＶ）充電ネットワークにおけるエネルギー消費量を監視するための方法、装置、およびコンピュータプログラム製品に関する。
【背景技術】
【０００２】
現在、電気自動車は、陸路、海路、空路での移動に使用されることが多くなってきている。しかし、電気自動車はバッテリー容量が限られているため、目的地に向かう途中にあるＥＶ充電ステーションで１回以上の充電が必要となることが多い。ＥＶ充電ステーションの位置や密度は、対象となる地域内の電気自動車の利用率に直接依存する。そのため、ＥＶ充電ステーションでのＥＶ充電とエネルギー生産を最適化するためには、ＥＶ所有者が日中にどのくらいの頻度で特定のＥＶ充電ステーションを利用しているかを知ることが重要である。
【０００３】
上記を考えると、各ＥＶ充電ステーションは、通常、所定の時間にエネルギー測定を行い、さらなる処理のためにエネルギー測定に関する情報を専門のデータセンターに送信するように構成されたエネルギーメータを備えている。しかしながら、異なるＥＶ充電ステーションは、異なる通信プロトコルおよび時間間隔を使用してそのような情報を送信することがある。さらに、データ通信の不具合などのエラーが発生し、ＥＶ充電ステーションが上記情報をデータセンターに送信し損ねてしまうことがある。いずれも、時間内にエネルギー消費量分布の適切な精度を得ることができず、ある時点における対象となるＥＶ充電ステーションで電気自動車が消費したエネルギーの合計平均値を算出することが困難であるか、あるいは不可能である。
【発明の概要】
【発明が解決しようとする課題】
【０００４】
本要約は、以下の詳細な説明においてさらに説明される概念の選択を簡略化した形で紹介するために提供される。この要約は、請求された主題の主要な特徴または本質的な特徴を特定することを意図したものではなく、また、請求された主題の範囲を限定するために使用されることを意図したものでもない。
【０００５】
本開示の目的は、対象となるＥＶ充電ステーションのそれぞれにおける時間内のより正確なエネルギー消費分布を得ることができ、それに基づいて、対象となるＥＶ充電ステーションにおける電気自動車がある時間に消費した総平均エネルギーの計算を提供することを可能にする技術的解決策を提供することである。
【０００６】
上記の目的は、添付の特許請求の範囲の独立請求項の特徴によって達成される。さらなる実施形態および例は、従属請求項、詳細な説明および添付の図面から明らかである。
【課題を解決するための手段】
【０００７】
第１の態様によれば、電気自動車（ＥＶ）充電ネットワークにおけるエネルギー消費量を監視する方法が提供される。前記ＥＶ充電ネットワークは、それぞれにエネルギーメータを備えた複数のＥＶ充電ステーションを含んで構成されている。前記方法は、少なくとも１つの前記ＥＶ充電ステーションから新しいメッセージを受信するステップから始まります。新しいメッセージは、タイムスタンプ、ステーション識別子（ＩＤ）、各充電セッションに固有の充電セッションＩＤ、およびエネルギーメータの読み取り値を含んで構成される。次に、この方法は、前記ＥＶ充電ステーションからの類似した古いメッセージを含むデータベースに前記新しいメッセージを格納するステップに進む。この方法はさらに、前記データベースに前記新しいメッセージと同じステーションＩＤと充電セッションＩＤを含む古いメッセージが含まれているかどうかをチェックするステップを含む。前記古いメッセージが前記データベースに存在する場合は、この方法は、前記新しいメッセージと前記古いメッセージの間の時間差およびエネルギー差を計算するステップに進む。前記方法はさらに、前記計算された時間差に基づいて時間粒度レベルを選択するステップと、前記時間粒度レベルと前記エネルギー差に基づいて、新しいメッセージと古いメッセージのタイムスタンプ間のエネルギー消費量分布を取得するステップとを含む。これにより、ＥＶ充電ステーションでのエネルギー消費量の経時変化に関する情報を得ることができ、ＥＶ充電やＥＶ充電ステーションでのエネルギー生産の最適化に役立てることができる。
【０００８】
第１の態様の一実施形態では、前記ステーションＩＤは、前記ＥＶ充電ステーションの名前、製造業者情報、および／または地理的位置を含んで構成される。これにより、対象となるＥＶ充電ステーションに関するより詳細な情報を取得できる。
【０００９】
第１の態様の一実施形態では、前記充電セッションＩＤは、１つ以上の文字および／またはデジタル文字で表される。これにより、各ＥＶ充電ステーションにおける充電セッションの区別が単純化される。
【００１０】
第１の態様の一実施形態では、前記タイムスタンプは、ＩＳＯ８６０１規格に従って表示される。これにより、この方法は、より柔軟に使用することができる。
【００１１】
第１の態様の一実施形態では、この方法はさらに、前記エネルギー消費量分布を前記データベースに格納することを含む。これにより、特定のＥＶ充電ステーションにおけるエネルギー消費の時間履歴をより簡単かつ効率的に監視することができる。
【００１２】
第１の態様の一実施形態では、前記エネルギー消費分布を取得するステップは、以下を含む。前記新しいメッセージと前記古いメッセージとの間の時間差を、前記時間粒度レベルに従っていくつかの等しい時間間隔に分割する。 前記エネルギー差を等しい時間間隔の数で割ることにより、各時間間隔の平均エネルギー消費量を計算する。これにより、平均エネルギー消費量が経時的にどのように変化するかを制御することができる。
【００１３】
第１の態様の一実施形態では、前記エネルギーメータの読み取り値および前記平均エネルギー消費量は、ワット時またはワット時の倍数で与えられる。これにより、この方法は、より柔軟に使用することができる。
【００１４】
第１の態様の一実施形態では、この方法はさらに、次のステップを含む。ワット時またはワット時の倍数で表される前記平均エネルギー消費量をワットに変換することにより、各時間間隔の平均消費電力を計算するステップと、前記時間粒度レベルおよび前記平均消費電力に基づいて、前記新しいメッセージと前記古いメッセージとの間の時間内の消費電力分布を取得するステップと、前記消費電力分布を前記データベースに格納するステップとを含む。この消費電力分布は、特定のＥＶ充電ステーションにおけるＥＶ充電とエネルギー生産の最適化をより効率的に行うのに役立つ可能性がある。
【００１５】
第１の態様の一実施形態では、この方法の上述のステップは、他のＥＶ充電ステーションから受信した前記新しいメッセージに対して繰り返される。この場合、この方法は、他のＥＶ充電ステーションについて得られたエネルギー消費量分布を比較することによって、所定の時間における前記ＥＶ充電ネットワーク内の総エネルギー消費量を計算するステップをさらに含む。これは、対象となるＥＶ充電ステーションにおけるＥＶ充電およびエネルギー生産をより効率的に最適化するのに役立つ可能性がある。
【００１６】
第２の態様によれば、電気自動車（ＥＶ）充電ネットワークにおけるエネルギー消費量を監視するための装置が提供される。ＥＶ充電ネットワークは、それぞれにエネルギーメータを備えた複数のＥＶ充電ステーションを含んで構成されている。この装置は、少なくとも１つのプロセッサと、前記少なくとも１つのプロセッサに結合され、ＥＶ充電ステーションからの古いメッセージを含むデータベースを格納するメモリを含んで構成されている。それぞれの前記古いメッセージは、タイムスタンプ、ステーション識別子（ＩＤ）、各充電セッションに固有の充電セッションＩＤ、エネルギーメータの読み取り値を含んで構成されている。前記メモリはさらに、前記少なくとも１つのプロセッサによって実行されるに際して、前記少なくとも１つのプロセッサに以下を実行させるプロセッサ実行可能命令を格納する。前記少なくとも１つのＥＶ充電ステーションから新しいメッセージを受信する、前記新しいメッセージを前記データベースに格納する、前記データベースに新しいメッセージと同じステーションＩＤおよび充電セッションＩＤを含む古いメッセージが存在するかどうかをチェックする、前記古いメッセージが前記データベースに存在する場合、前記新しいメッセージと前記古いメッセージとの間の時間差およびエネルギー差を計算する、前記計算された時間差に基づいて時間粒度レベルを選択する、そして前記時間粒度レベルと前記エネルギー差に基づいて、前記新しいメッセージと前記古いメッセージのタイムスタンプ間のエネルギー消費分布を取得する。これにより、ＥＶ充電ステーションでのエネルギー消費量の経時変化に関する情報を得ることができ、ＥＶ充電やＥＶ充電ステーションでのエネルギー生産の最適化に役立てることができる。
【００１７】
第２の態様の一実施形態では、前記ステーションＩＤは、前記ＥＶ充電ステーションの名前、製造者情報および／または地理的位置を含んで構成される。これにより、対象となるＥＶ充電ステーションに関するより詳細な情報を得ることができる。
【００１８】
第２の態様の一実施形態では、前記充電セッションＩＤは、１つ以上の文字および／またはデジタル文字で表される。これにより、各ＥＶ充電ステーションにおける充電セッションの区別が単純化される。
【００１９】
第２の態様の一実施形態では、前記タイムスタンプは、ＩＳＯ８６０１規格に従って表示される。これにより、この装置は、より柔軟に使用することができる。
【００２０】
第２の態様の一実施形態では、前記メモリはさらに、コンピュータ実行可能命令を格納し、前記少なくとも１つのプロセッサに、前記エネルギー消費量分布を前記データベースに格納させる。これにより、特定のＥＶ充電ステーションにおけるエネルギー消費の時間履歴をより簡単かつ効率的に監視することができる。
【００２１】
第２の態様の一実施形態では、前記少なくとも１つのプロセッサが、前記新しいメッセージと前記古いメッセージとの間の時間差を、前記時間粒度レベルに従っていくつかの等しい時間間隔に分割し、前記エネルギー差を等しい時間間隔の数で割ることにより、各時間間隔の平均エネルギー消費量を計算することで、エネルギー消費量の分布を取得するように構成される。これにより、平均エネルギー消費量が経時的にどのように変化するかを把握することができる。
【００２２】
第２の態様の一実施形態では、前記エネルギーメータの読み取り値および前記平均エネルギー消費量は、ワット時またはワット時の倍数で与えられる。これにより、この装置は、より柔軟に使用することができる。
【００２３】
第２の態様の一実施形態では、前記メモリは、さらに少なくとも１つのプロセッサにワット時またはワット時の倍数で表される平均エネルギー消費量をワットに変換することにより、各時間間隔の平均消費電力を計算させ、時間粒度レベルおよび平均消費電力に基づいて、新しいメッセージと古いメッセージとの間の時間内の消費電力分布を取得させ、前記消費電力分布を前記メモリまたは前記データベースに格納させる命令をさらに格納している。この消費電力分布は、特定のＥＶ充電ステーションにおけるＥＶ充電およびエネルギー生産をより効率的に最適化するのに役立つ可能性がある。
【００２４】
第２の態様の一実施形態では、前記少なくとも１つのプロセッサは、他のＥＶ充電ステーションから受信した新たなメッセージに対して上述した操作を繰り返すように構成されている。この場合、前記メモリは、前記少なくとも１つのプロセッサに他のＥＶ充電ステーションについて得られたエネルギー消費量の分布を比較することにより、所定の時間におけるＥＶ充電ネットワーク内の総エネルギー消費量を計算するように指示する命令をさらに格納する。これにより、対象となるＥＶ充電ステーションにおけるＥＶ充電およびエネルギー生産をより効率的に最適化するのに役立つ可能性がある。
【００２５】
第３の態様では、コンピュータプログラムを格納したコンピュータ読み取り可能な記憶媒体を含んで構成されるコンピュータプログラム製品が提供される。前記コンピュータプログラムは、少なくとも１つのプロセッサによって実行されることにより、前記少なくとも１つのプロセッサに第１の態様に従った方法を実行させる。このように、第１の態様に従った方法は、コンピュータプログラムの形態で具現化することができ、これにより、それ自体の使用の柔軟性を提供することができる。
【００２６】
本開示の他の特徴および有利な点は、以下の詳細な説明を読み、添付の図面を検討すると明らかになるであろう。
【図面の簡単な説明】
【００２７】
添付の図面を参照して、本開示の本質を以下に説明する。
【図１】代表的なＥＶ充電ネットワークの一例を示す。
【図２】本開示の１つの態様に従って、ＥＶ充電ネットワークにおけるエネルギー消費量を監視するための装置のブロック図を示している。
【図３】本開示の別の態様に従って、ＥＶ充電ネットワークにおけるエネルギー消費量を監視する方法のブロック図を示す。
【図４】図３の方法で得られたＥＶ充電ステーションにおける日中の消費電力の依存性を示す図である。
【発明を実施するための形態】
【００２８】
本開示の様々な実施形態は、添付の図面を参照してさらに詳細に説明される。しかしながら、本開示は、多くの他の形態で具現化することができ、以下の説明で開示されている任意の特定の構造または機能に限定されるものと解釈されるべきではない。対照的に、これらの実施形態は、本開示の説明を詳細かつ完全なものにするために提供される。
【００２９】
本開示によれば、本開示の範囲は、この実施形態が独立して実施されるか、または本開示の他の実施形態と協調して実施されるかにかかわらず、本明細書に開示される任意の実施形態をカバーすることが、当業者には明らかであろう。例えば、本明細書に開示された装置および方法は、本明細書に提供された任意の数の実施形態を使用して実施することができる。さらに、本開示の任意の実施形態は、添付の特許請求の範囲に提示された要素またはステップのうちの１つまたは複数を用いて実施することができることが理解されるべきである。
【００３０】
本明細書で使用されるように、「エネルギー」という用語は、ＥＶ充電ステーションまたは遠隔地の電気プラントのいずれかに配置された１つ以上の発電機によって生成される電気エネルギーに関連している。後者の場合、電気エネルギーは、ケーブルを介して、または取り外し可能な電池として、ＥＶ充電ステーションに提供されてもよい。これに対応して、「エネルギー消費」とは、ＥＶ充電ステーションで生産・蓄積された電気エネルギーの消費を指す。
【００３１】
図１は、対象となる地理的地域に典型的に配備された例示的なＥＶ充電ネットワーク１００を示す。特に、ＥＶ充電ネットワーク１００は、４つのＥＶ充電ステーション１０２、１０４、１０６、１０８、およびデータセンター１１０を含んで構成される。次に、対象となる地理的領域は、３つの道路１１２、１１４、および１１６によって例示され、４つの電気自動車１１８、１２０、１２２、および１２４がその上を移動する。各ＥＶ充電ステーションの位置は、図１において実線の円で模式的に示されている。このように、ＥＶ充電ステーション１０２は道路１１２に沿って配置され、ＥＶ充電ステーション１０４は道路１１４と道路１１６との交差点に配置され、ＥＶ充電ステーション１０６は道路１１２と道路１１６との交差点に配置され、ＥＶ充電ステーション１０８は道路１１６に沿って配置されている。さらに、ＥＶ充電ステーション１０２、１０４、１０６、１０８の各々は、図１の破線矢印で模式的に示されるように、ある時点でエネルギー測定を行い、エネルギー測定に関するメッセージをデータセンター１１０に送信するように構成されたエネルギーメータを備えることが意図されている。このメッセージは、データセンター１１０がＥＶ充電ステーション１０２、１０４、１０６、１０８から送信されたメッセージを適切に区別できるように、タイムスタンプ、ステーション識別子（ＩＤ）、各充電セッションに固有の充電セッションＩＤ、およびエネルギーメータの読み取り値を含んで構成されてもよい。
【００３２】
ここで、車両１１８がＥＶ充電ステーション１０２で充電されている状況、車両１２０がＥＶ充電ステーション１０４で充電されている状況、車両１２２がＥＶ充電ステーション１０８で充電されている状況、車両１２４がＥＶ充電ステーション１０６で充電されている状況を考えてみよう。この状況では、ＥＶ充電ステーション１０２、１０４、１０６、１０８のエネルギーメータは、以下のテキストメッセージをデータセンター１１０に送信してもよい。
・２０１８−０５−１０ １１：００：０５ − ステーション１０２ − チャージＩＤ １０ − メータの読み取り値：１１００ Ｗｈ
・２０１８−０５−１０ １１：０５：２３ − ステーション１０４ − チャージＩＤ １３ − メータの読み取り値：４３６ Ｗｈ
・２０１８−０５−１０ １１：０６：２５ − ステーション１０２ − チャージＩＤ １０ − メータの読み取り値：１１４５ Ｗｈ
・２０１８−０５−１０ １１：１０：１５ − ステーション１０６ − チャージＩＤ ２７ − メータの読み取り値：９９２３ Ｗｈ
・２０１８−０５−１０ １１：１１：４５ − ステーション１０４ − チャージＩＤ １３ − メータの読み取り値：５５０ Ｗｈ
・２０１８−０５−１０ １１：１２：３０ − ステーション１０８ − チャージＩＤ ３０ − メータの読み取り値：１２３４０ Ｗｈ
・２０１８−０５−１０ １１：１６：２３ − ステーション１０２ − チャージＩＤ １０ − メータの読み取り値：１２４０ Ｗｈ
上記のメッセージから、次の結論を簡単に出すことができます。まず、ＥＶ充電ステーション１０２、１０４、１０６、１０８のエネルギーメータは、異なるタイミングでメッセージを送信してもよい。第２に、各ＥＶ充電ステーションのエネルギーメータは、ＥＶ充電ステーション１０２から送信されるメッセージのタイムスタンプから容易に分かるように、不規則な間隔でメッセージを送信してもよい。この不規則性は、データ通信の問題のようなエラーによって引き起こされる可能性がある。その理由は、ＥＶ充電ステーション１０２がメッセージを送信し損ねる可能性があるからである。これらの結論を考えると、ある時点でのＥＶ充電ネットワーク１００における総エネルギー消費量を計算することができないことに関連して、一つの問題が露呈している。例えば、上記のメッセージに関連して、２０１８−０５−１０ １１：１０：００の時点での総エネルギー消費量を特定することはできない。
【００３３】
別の問題は、ＥＶ充電ステーション１０２、１０４、１０６、および１０８のエネルギーメータがエネルギー読み取り値をデータセンター１１０に送信するために使用し得る異なるメッセージフォーマットによって引き起こされ得る。例えば、ＥＶ充電ステーション１０２、１０４のエネルギーメータによって送信されるエネルギー読み取り値は、"enrg=XXX "のように見える可能性があり、ＥＶ充電ステーション１０６、１０８のエネルギーメータによって送信されるエネルギー読み取り値は、"XXX"と表示される可能性がある。これにより、ＥＶ充電ステーションからのメッセージの処理が複雑になる可能性がある。
【００３４】
本開示は、電気自動車（ＥＶ）充電ネットワークにおけるエネルギー消費量を監視するための技術的解決策を提供し、この技術的解決策は、上記の問題を緩和することができるか、またはさらには排除することができる。本技術的解決策の態様は、電気自動車に関連して以下に論じられるが、これを何ら限定的なものと考えるべきではない。言い換えれば、本明細書に開示された技術的解決策の態様は、電気航空機や電気船舶などの他の種類の電気自動車に関連して等しく使用されてもよい。電気航空機の場合、ＥＶ充電ステーション１０２、１０４、１０６、１０８は、異なる空港に配置されてもよい。電気船舶に適用可能であることから、ＥＶ充電ステーション１０２、１０４、１０６、１０８は、異なる海港に配置され得る。
【００３５】
図２は、本開示の一態様に従って、ＥＶ充電ネットワークにおけるエネルギー消費量を監視するための装置２００のブロック図である。簡単のために、ＥＶ充電ネットワークは、図１に示されたものと同じであることが意図されている。この場合、装置２００は、ＥＶ充電ネットワーク１００のデータセンター１１０内に配置されることが意図されている。図２に示すように、装置２００は、ストレージ２０２と、ストレージ２０２に結合されたプロセッサ２０４とを含んで構成されている。ストレージ２０２は、ＥＶ充電ネットワーク１００におけるエネルギー消費量を監視するために、少なくとも１つのプロセッサ２０４によって実行されるプロセッサ実行可能命令２０６を格納している。ストレージ２０２はさらに、ＥＶ充電ステーション１０２、１０４、１０６、１０８のエネルギーメータからの古いメッセージを記憶するデータベース２０８を含んで構成されている。
【００３６】
ストレージ２０２は、現代の電子計算機で使用されている不揮発性または揮発性メモリとして実装されてもよい。一例として、不揮発性メモリは、リードオンリーメモリ（ＲＯＭ）、強誘電体ランダムアクセスメモリ（ＲＡＭ）、プログラマブルＲＯＭ（ＰＲＯＭ）、電気的に消去可能なＰＲＯＭ（ＥＥＰＲＯＭ）、ソリッドステートドライブ（ＳＳＤ）、フラッシュメモリ、磁気ディスクストレージ（ハードドライブや磁気テープなど）、光ディスクストレージ（ＣＤ、ＤＶＤ、ブルーレイディスクなど）などを含んでよい。揮発性メモリとしては、Ｄｙｎａｍｉｃ ＲＡＭ、Ｓｙｎｃｈｒｏｎｏｕｓ ＤＲＡＭ（ＳＤＲＡＭ）、Ｄｏｕｂｌｅ Ｄａｔａ Ｒａｔｅ ＳＤＲＡＭ（ＤＤＲ ＳＤＲＡＭ）、Ｓｔａｔｉｃ ＲＡＭなどが挙げられる。
【００３７】
プロセッサ２０４は、中央処理装置（ＣＰＵ）、汎用プロセッサ、単一目的プロセッサ、マイクロコントローラ、マイクロプロセッサ、特定用途向け集積回路（ＡＳＩＣ）、フィールドプログラマブルゲートアレイ（ＦＰＧＡ）、デジタル信号プロセッサ（ＤＳＰ）、複合プログラマブルロジックデバイスなどとして実装されてもよい。プロセッサ２０４は、前述の任意の組み合わせとして実装され得ることに留意されたい。 一例として、プロセッサ２０４は、２つ以上のＣＰＵ、汎用プロセッサなどの組み合わせでもよい。
【００３８】
ストレージ２０２に格納されたプロセッサ実行可能命令２０６は、プロセッサ２０４が本開示の態様を実行させるコンピュータ実行可能コードとして構成されてもよい。本開示の態様に係る操作またはステップを実行するためのコンピュータ実行可能コードは、Ｊａｖａ、Ｃ、Ｃ＋＋、Ｐｙｔｈｏｎなどの１つまたは複数のプログラミング言語の任意の組み合わせで記述されてもよい。いくつかの例では、コンピュータ実行可能コードは、高レベル言語の形式または事前にコンパイルされた形式であり得、その場でインタプリタ（これもストレージ２０２に予め格納されている）によって生成され得る。
【００３９】
データベース２０８は、表形式で構成されてもよく、各行は、図１に示すようなＥＶ充電ステーションから受信したメッセージのうちの１つに対応し、各列は、タイムスタンプ、ステーションＩＤ、充電セッションＩＤ、またはエネルギーメータの読み取り値のような、そのメッセージの特定の属性に対応している。他の一実施形態では、データベース２０８は、テーブルのセットとして構成されてもよく、各テーブルは、同じＥＶ充電ステーションから受信したメッセージに関連付けられている。同時に、プロセッサ２０４は、任意の適切なプログラミング言語、例えば、構造化照会言語（ＳＱＬ）を使用して、データベース２０８を照会および維持するように構成され得る。
【００４０】
図３は、本開示の別の態様に従って、ＥＶ充電ネットワークにおけるエネルギー消費量を監視するための方法３００のフローチャートである。方法３００は、プロセッサ２０４がプロセッサ実行可能命令２０６を実行させられるときに、装置２００のプロセッサ２０４によって実行されることが意図されている。
【００４１】
特に、方法３００は、プロセッサ２０４が、ＥＶ充電ステーション１０２、１０４、１０６、および１０８のうちの少なくとも１つから新しいメッセージを受信するステップＳ３０２から開始される。古いメッセージと同様に、新しいメッセージは、タイムスタンプ、ステーションＩＤ、充電セッションＩＤ、およびエネルギーメータの読み取り値を含んで構成される。前記メッセージ属性の各々は、異なる形で表示されてもよいことに留意すべきである。例えば、ステーションＩＤは、ＥＶ充電ステーションの名称、製造者情報、および／または地理的位置を含んで構成されてもよい。充電セッションＩＤは、１つ以上の文字および／またはデジタル文字で表されてもよい。充電セッションＩＤは、次の充電セッション毎に昇順に選択されることが明らかであるべきである。タイムスタンプは、日付と時間に関連したデータの交換をカバーするＩＳＯ８６０１規格に従って表示されてもよい。エネルギーメータの読み取り値は、異なるエネルギー単位で表現されてもよいが、例えばキロワット時（ｋＷｈ）のようなワット時（Ｗｈ）とその倍数は、電気的用途のコンテキストでは最も一般的である。
【００４２】
新しいメッセージが受信されると、方法３００はステップＳ３０４に進み、その際、プロセッサ２０４は、データベース２０８にアクセスして、そこに新しいメッセージに関する新しいエントリを作成する。つまり、プロセッサ２０４は、データベース２０８内に新しい行を作成し、その新しい行に新しいメッセージで示された属性値を記入する。
【００４３】
次に、方法３００は、ステップＳ３０６に進み、ここで、プロセッサ２０４は、データベース２０８が、新しいメッセージと同じステーションＩＤおよび充電セッションＩＤを含む古いメッセージを含んで構成されているかどうかをチェックする。この目的のために、プロセッサ２０４は、データベース２０８からそれぞれのデータを取得するためにＳＱＲクエリを使用してもよい。前記要求されたメッセージ属性を有する古いメッセージが存在しない場合、方法３００は終了する。しかし、データベース２０８がそのような古いメッセージを含んで構成される場合、方法３００はさらに進行する。
【００４４】
ステップＳ３０８において、プロセッサ２０４は、データベース２０８内で見つかった新しいメッセージと適当な古いメッセージとの間の時間差およびエネルギー差を計算する。時間差は、新しいメッセージと古いメッセージのタイムスタンプを比較することによって計算される。例えば、１分間に新旧のメッセージを受信した場合、時間差は秒単位で与えられる。また、エネルギー差については、新しいメッセージと古いメッセージのエネルギーメータの読み取り値に基づいて計算される。
【００４５】
さらに、方法はステップＳ３１０に進み、ここで、プロセッサ２０４は、計算された時間差に基づいて時間粒度レベルを選択する。次に、方法３００のステップＳ３１２において、プロセッサ２０４は、時間粒度レベルに従って、新しいメッセージと古いメッセージの２つのタイムスタンプの間でエネルギー差を均等に分割する。そうすることによって、プロセッサ２０４は、最終的に、新しいメッセージの２つのタイムスタンプと古いメッセージの２つのタイムスタンプの間のエネルギー消費量の分布を得る。その後、方法３００は終了する。
【００４６】
ここで、方法３００がＥＶ充電ステーションからのメッセージに適用される方法の一例を示す。ＥＶ充電ネットワーク１００のデータセンター１１０が、１０時５分にエネルギーメータの読み取り値が１１０Ｗｈに等しいことを示す新しいメッセージをＥＶ充電ステーション１０２から受信したと仮定する。また、装置２００のメモリ２０２に格納されたデータベース１０８は、新しいメッセージと同じステーションＩＤおよび充電セッションＩＤ、ならびに１０時０分で１００Ｗｈであるエネルギーメータの読み取り値を含む古いメッセージを含むと仮定する。これらの初期データが与えられると、１つは、以下のように方法３００を実行するために進行してもよい。最初は、時間差が５分、エネルギー差が１０Ｗｈであると判断する。この場合、時間粒度レベルとして１分を選択するのが妥当である。このようにして選択された時間粒度レベルでは、新しいメッセージのタイムスタンプと古いメッセージのタイムスタンプの間には、５つの１分間隔がある。次に、５つの１分間隔の間でエネルギー差を均等に分割し、１０／５＝２Ｗｈ／ｍｉｎとする。つまり、この例では、以下の５つのデータフィールドが作成されることになる。１０：０１ - ２Ｗｈ、１０:０２ - ２Ｗｈ、１０：０３ - ２Ｗｈ、１０:０４ - ２Ｗｈ、１０:０５ - ２Ｗｈである。データフィールドは、その後、装置２００のメモリ２０２、特にデータベース２０８のいずれかに、新しいメッセージの追加属性（すなわち、古いメッセージとの関連付け）として格納されてもよい。このようにして、１０：００−１０：０５の間にエネルギー消費量分布が得られる。このエネルギー消費量分布は、ＥＶ充電ステーション１０２におけるエネルギー消費量の平均値を示すものであるが、ステーションオペレータは、ある時刻におけるＥＶ充電ステーション１０２の使用率についての手がかりを得ることができる。
【００４７】
ＥＶ充電ネットワーク１００のデータセンター１１０が、ＥＶ充電ステーション１０２、１０４、１０６、１０８のすべてから新しいメッセージを受信した場合、方法３００は、次に、新しいメッセージのそれぞれに関して実行される。その結果、データベース２０８が、新しいメッセージのそれぞれに対して適切な古いメッセージを含んで構成していると仮定すると、ＥＶ充電ステーション１０２、１０４、１０６、１０８のそれぞれに関連付けられたエネルギー消費量の分布が存在し、上で説明したように取得される。これにより、ある時点でのＥＶ充電ネットワーク１００における平均的な総エネルギー消費量を決定することができる。例えば、ＥＶ充電ステーション１０２の１０時３分の平均エネルギー消費量が２Ｗｈ、ＥＶ充電ステーション１０４の１０時３分の平均エネルギー消費量が４Ｗｈ、ＥＶ充電ステーション１０６の１０時３分の平均エネルギー消費量が６Ｗｈ、ＥＶ充電ステーション１０８の１０時３分の平均エネルギー消費量が８Ｗｈであるとすると、１０時３分のＥＶ充電ネットワーク１００の合計平均エネルギー消費量は、２＋４＋６＋８＝２０Ｗｈとなる。
【００４８】
一実施形態では、方法３００は、ワット時またはワット時の倍数（または任意の他のエネルギー単位）での平均エネルギー消費量を、特定の時間における各ＥＶ充電ステーションのワット（Ｗ）での平均電力消費量に変換するステップをさらに含んでもよい。よく知られているように、エネルギー（Ｅ）は、電力（Ｐ）に時間（ｔ）を掛けたもの、すなわち、Ｅ＝Ｐ×ｔに等しい。上記の例を考えると、これは、ＥＶ充電ステーション１０２での１０時３分における平均消費電力がＰ＝２Ｗｈ／（１／６０ｈ）＝１２０Ｗに等しいことを意味する。そうすることによって、そのような変換は、ＥＶ充電ステーション１０２から受信した新しいメッセージと古いメッセージのタイムスタンプの間の平均的な消費電力分布を得ることになる。エネルギー消費量分布と同様に、電力消費量分布は、その後、装置２００のメモリ２０２、特にデータベース２０８に格納されるようにしてもよい。もちろん、必要に応じて、他のＥＶ充電ステーション１０４、１０６、１０８についても同様の消費電力分布が得られるようにしてもよい。
【００４９】
同様に、ある時間におけるＥＶ充電ネットワーク１００の総平均消費電力は、ＥＶ充電ステーション１０２、１０４、１０６、１０８の消費電力分布を比較することによって計算されるようにしてもよい。これを行うために、装置２００のプロセッサ２０４は、データベース２０８を適切にクエリしてもよい。例えば、データベースクエリは、以下のように見えてもよい（メッセージ属性「ｔｉｍｅｓｔａｍｐ」が副属性「ｙｅａｒ」、「ｍｏｎｔｈ」、「ｄａｙ」、「ｈｏｕｒ」、「ｍｉｎｕｔｅ」などに分割されている場合）。
【００５０】
"次の条件を満たすすべての消費電力値の合計を計算します：
ステーションID  場所 = 'フィンランド'
および、タイムスタンプ  年 ＝ ２０１８
および、タイムスタンプ  月 ＝１０
および、タイムスタンプ  日 ＝２２
および、タイムスタンプ  時 ＝１３
および、タイムスタンプ  分 = ４"
上記のクエリにより、プロセッサ２０４は、２０１８-１０-２２ １３：０４：００にフィンランドに位置する全てのＥＶ充電ステーションにおける平均総電力消費量に関する情報を容易に取得することができる。
【００５１】
図４は、ＥＶ充電ネットワーク内の複数のＥＶ充電ステーションの時間に対する平均消費電力値の複数の依存関係を示す。各依存関係は、１つのＥＶ充電ステーションに対応しており、方法３００を使用して得られる。依存関係上の各点は、異なる充電セッションＩＤに対応する全ての消費電力値の総和を表し、ある時間における同一ステーションＩＤに対応する全ての消費電力値の総和を表す。このような依存関係を使用することで、利用可能なＥＶ充電ステーションの使用率を把握することができ、利用可能なＥＶ充電ステーションのうちの１つまたはすべての使用率が最も高い時期を特定することができる。この情報は、ＥＶ充電ステーションでのＥＶ充電とエネルギー生産を最適化するために使用される。
【００５２】
当業者であれば、方法３００の各ブロックまたはステップ、またはブロックまたはステップの任意の組み合わせは、ハードウェア、ファームウェア、および／またはソフトウェアなどの様々な手段によって実装され得ることを理解すべきである。一例として、上述したブロックまたはステップのうちの１つまたは複数は、コンピュータ実行可能命令、データ構造、プログラムモジュール、および他の適切なデータ表現によって具体化され得る。さらに、上述したブロックまたはステップを具体化するコンピュータ実行可能命令は、対応するデータキャリアに格納され、装置２００のプロセッサ２０４のような少なくとも１つのプロセッサによって実行され得る。このデータキャリアは、コンピュータ実行可能命令を実行するために前記少なくとも１つのプロセッサによって読み取り可能に構成された任意のコンピュータ可読記憶媒体として実装することができる。そのようなコンピュータ可読記憶媒体は、揮発性媒体および不揮発性媒体、取り外し可能な媒体および非取り外し可能な媒体の両方を含むことができる。例示的な方法であり、以下に限定されないが、コンピュータ可読媒体は、情報を格納するのに適した任意の方法または技術で実装された媒体で構成される。より詳細には、コンピュータ可読媒体の実施例としては、情報提供媒体、ＲＡＭ、ＲＯＭ、ＥＥＰＲＯＭ、フラッシュメモリまたは他のメモリ技術、ＣＤ-ＲＯＭ、デジタル多目的ディスク（ＤＶＤ）、ホログラフィック媒体または他の光ディスク記憶装置、磁気テープ、磁気カセット、磁気ディスク記憶装置、および他の磁気記憶装置が挙げられるが、これらに限定されるものではない。
【００５３】
本開示の例示的な実施形態が本明細書に記載されているが、添付の特許請求の範囲によって定義される法的保護の範囲から逸脱することなく、本開示の実施形態において任意の様々な変更および修正がなされ得ることに留意すべきである。別紙請求項において、「構成する」という語は、他の要素またはステップを排除するものではなく、不定冠詞「a」または「an」は、複数の要素を排除するものではない。特定の手段が相互に異なる従属請求項に引用されているという単なる事実は、これらの手段の組み合わせが有利に使用できないことを示すものではない。
【図１】
2021530755.tif 000003
【図２】
2021530755.tif 000004
【図３】
2021530755.tif 000005
【図４】
2021530755.tif 000006
【国際調査報告】
2021530755.tif 000007
2021530755.tif 000008
2021530755.tif 000009